(57)【特許請求の範囲】
【請求項１】
電池が収納される電池収納部が本体に設けられると共に該電池収納部を被う電池蓋を備えた電子機器の電池収納装置において、
前記電池収納部を構成する面に、前記電池蓋を閉成位置にロックするロック位置と、該電池蓋を開放可能にする非ロック位置との間を、摺動変位可能に設けられると共に、弾性部材によりロック位置方向へ付勢される摺動レバーと、
該摺動レバーに形成されると共に、該電池蓋を該電池収納部を被うべく変位させるときに、該電池蓋を構成する側板部の端面と当接する傾斜面が形成された制御突起と
を備え、
該電池蓋を該電池収納部を被う位置に変位させるときに、該側板部の該制御突起の該傾斜面への当接により、該摺動レバーを該非ロック位置に一旦変位させ、
該電池蓋を該閉成位置に変位させたときに、該摺動レバーを該ロック位置に変位させることを特徴とする電子機器の電池収納装置。
【請求項２】
前記摺動レバーを前記ロック位置から前記非ロック位置へ変位させることにより切換えられるスイッチを設けたことを特徴とする請求項１記載の電子機器の電池収納装置。
【請求項３】
前記摺動レバーに操作部を設け、該操作部を操作させることにより、該摺動レバーを前記ロック位置から前記非ロック位置へ変位させることを特徴とする請求項２記載の電子機器の電池収納装置。
【請求項４】
前記スイッチの切換により、電子機器の機能切換が行われることを特徴とする請求項２記載の電子機器の電池収納装置。
【発明の詳細な説明】
【０００１】
【発明の属する技術分野】
本発明は、電子機器の電池収納装置に関するものである。
【０００２】
【従来の技術】
一般にノート型コンピュータと呼ばれる電子機器が普及されているが、斯かるノート型
コンピュータは、動作電源として電池を使用するように構成されていると共に、電池が収納される収納部が本体に設けられている。斯かるコンピュータでは、電池が消耗すると電池を交換する必要があり、アプリケーションを動作させたまま電池の交換を行う場合には、サスペンドと呼ばれるボタンを操作することにより行われるように構成されている。
【０００３】
【発明が解決しようとする課題】
コンピュータの動作中に電池が消耗したしたときに、電池交換を行うためには、前述したようにサスペンドボタンを押したのちに、電池ケースを外して電池交換をする必要がある。しかしながら、使用者が斯かる機能を知らないで動作中に電池を交換した場合、コンピュータのプログラムが破壊するという問題がある。
【０００４】
本発明は、斯かる問題を解決した電子機器の電池収納装置を提供しようとするものである。
【０００５】
【課題を解決するための手段】
本発明の請求項１に係る電子機器の電池収納装置は、電池が収納される電池収納部が本体に設けられると共に該電池収納部を被う電池蓋を備えた電子機器の電池収納装置において、前記電池収納部を構成する面に、前記電池蓋を閉成位置にロックするロック位置と、該電池蓋を開放可能にする非ロック位置との間を、摺動変位可能に設けられると共に、弾性部材によりロック位置方向へ付勢される摺動レバーと、該摺動レバーに形成されると共に、該電池蓋を該電池収納部を被うべく変位させるときに、該電池蓋を構成する側板部の端面と当接する傾斜面が形成された制御突起とを備え、該電池蓋を該電池収納部を被う位置に変位させるときに、該側板部の該制御突起の該傾斜面への当接により、該摺動レバーを該非ロック位置に一旦変位させ、該電池蓋を該閉成位置に変位させたときに、該摺動レバーを該ロック位置に変位させることを特徴とする。
【０００６】
【発明の実施の形態】
図１は、本発明に係る電子機器の電池収納装置の一実施形態を示す要部の斜視図、図２は、電子機器の電池収納装置の異なる状態を示す斜視図、図３は、電子機器の電池収納装置の要部を示す平面図、図４は、電子機器の電池収納装置の異なる状態を示す平面図である。
【０００７】
図において、１は、コンピュータを構成する本体、２は、前記本体１に設けられている電池収納部、３は、電池収納部２を被う電池蓋であり、図２に示した状態より矢印Ａ方向へ変位させられることにより、図４に示す閉成位置に変位させられると共に、ロック手段（図示せず）によって閉成位置にロック保持されるように構成されている。４は、電池収納部２を構成する内壁に設けられた位置決め孔であり、電池蓋３に形成されている位置決め片５が係合され、電池蓋３の位置決めを行うものである。
【０００８】
６は、電池収納部２内に矢印Ａ方向に変位したロック位置とＢ方向へ変位した非ロック位置との間を変位可能に設けられていると共に、スプリング７によってロック位置方向に付勢されている摺動レバーであり、各々傾斜面８Ａ，９Ａが形成された制御突起８，９が設けられていると共に、操作部１０が一体的に成型されている。１１は、摺動レバー６に一体成型されているスイッチ押圧部、１２は、摺動レバー６がロック位置より非ロック位置へ変位したときに、スイッチ押圧部１１が当接することにより切換えられるスイッチであり、例えばコンピュータをサスペンド状態にさせる作用を成すものである。斯かる構成において、操作部１０を操作させることにより、摺動レバー６をスプリング７の付勢力に抗して非ロック位置である矢印Ｂ方向に変位させることができると共に、スイッチ１２の切換動作を行うことができるように構成されている。
【０００９】
１３は、電池蓋３を構成する側板部、１４及び１５は、摺動レバー６が非ロック位置にあるときに、摺動レバー６に形成されている制御突起８，９に対応した位置の側板部１３に形成された矩形状の切欠部である。斯かる構成において、摺動レバー６が非ロック位置にあるときには、側板部１３に形成された切欠部１４，１５の角部１４Ａ，１５Ａが、制御突起８，９に形成された傾斜面８Ａ，９Ａに当接する位置にあるように関係付けられている。また、斯かる構成において、制御突起８，９と、位置決め孔４が形成されている電池収納部２の内壁との間には、電池蓋３を構成する側板部１３が入り込む隙間が設けられている。
【００１０】
次に、図を参照して動作について説明する。本体１より電池蓋３を外した状態にて電池を電池収納部２に装着したのちに、電池蓋３を電池収納部２の開口部を被うべく装着するが、図２は、電池蓋３を装着する途中の状態である。図２に示した状態は、電池蓋３が図４に示した閉成位置より矢印Ｃ方向へずれた状態で、且つ電池蓋３を電池収納方向へ押圧した状態を示すものであり、電池蓋３の側板部１３に形成されている切欠部１４，１５の角部１４Ａ，１５Ａが制御突起８，９の傾斜面８Ａ，９Ａに当接するため、制御突起８，９が形成されている摺動レバー６が、スプリング７の付勢力に抗して矢印Ｂ方向にある非ロック位置に変位させられた状態にある。
【００１１】
摺動レバー６が非ロック位置に変位させられた状態にあるときには、制御突起８，９が、側板部１３に形成された切欠部１４，１５に対応する位置にあるように関係付けられている。従って、斯かる状態より電池蓋３を矢印Ｄ方向に摺動変位させると、電池蓋３は、図４に示す閉成位置に位置させられるが、斯かる状態では、電池蓋３に形成されている位置決め片５が、電池収納部２を構成する内壁に設けられた位置決め孔４に係合させられる。また、電池蓋３が閉成位置に変位させられると、電池蓋３の側板部１３が、摺動レバー６に設けられている制御突起８，９と離間した状態になる。その結果、スプリング７の付勢力により、摺動レバー６は、ロック位置である矢印Ａ方向に摺動変位させられる。
【００１２】
図４に示した状態は、斯かる状態を示すものであり、図示したように、摺動レバー６に設けられた制御突起８，９が、電池蓋３の側板部１３の内側に当接する位置にある。従って、斯かる状態において、電池蓋３を矢印Ｃ方向へ変位させるべく操作しても、電池蓋３の側板部１３の内側が制御突起８，９に当接するため、電池蓋３の矢印Ｃ方向への変位は、阻止されることになる。それ故、電池蓋３は、取外し操作が阻止される閉成位置にロックされることになる。
【００１３】
以上の如く、電池蓋３の装着動作は行われるが、次に取外し動作について説明する。図４は、前述したように、電池蓋３が閉成位置にロックされた状態を示すものであり、斯かる状態において、摺動レバー６に設けられている操作部１０を矢印Ｂ方向へ押圧操作させると、摺動レバー６は、スプリング７の付勢力に抗して非ロック位置である矢印Ｂ方向に変位させられる。
【００１４】
摺動レバー６が非ロック位置に変位させられると、図３に示すように、摺動レバー６に設けられている制御突起８，９が、電池蓋３の側板部１３に形成された切欠部１４，１５と対向する位置になる。斯かる状態より電池蓋３を矢印Ｃ方向へ引き抜けば、電池蓋３に形成された位置決め片５と、電池収納部２を構成する内壁に設けられた位置決め孔４との係合が断たれ、電池蓋３を本体１より取外すことができる。
【００１５】
上述したように電池蓋３の装着動作および取外し動作は行われるが、斯かる動作が行われるときに、摺動レバー６は、矢印Ａ方向に変位したロック位置と、Ｂ方向へ変位した非ロック位置との間を変位することになる。摺動レバー６が矢印Ｂ方向である非ロック位置に変位すると、摺動レバー６に一体成型されたスイッチ押圧部１１が、スイッチ１２の切
換動作を行うことになる。
【００１６】
従って、スイッチ１２の切換により、コンピュータにおけるサスペンド動作が行われることになり、動作中における電池交換を支障なく行うことができる。また、摺動レバー６の操作部１０による非ロック位置への変位動作は、電池蓋３の着脱動作とは関係なく行うことができるので、スイッチ１２によるサスペンド動作およびサスペンド解除動作を独立して行うことができる。
【００１７】
尚、本実施例では、スイッチ１２をサスペンド動作用として説明したが、本体１に組込まれている電子回路のリセットを行うスイッチとして使用するように構成することもできる。
【００１８】
【発明の効果】
以上の如く、請求項１記載の発明によれば、電池が収納される電池収納部が本体に設けられると共に電池収納部を被う電池蓋を備えた電子機器の電池収納装置において、電池収納部を構成する面に、電池蓋を閉成位置にロックするロック位置と、電池蓋を開放可能にする非ロック位置との間を、摺動変位可能に設けられると共に、弾性部材によりロック位置方向へ付勢される摺動レバーと、摺動レバーに形成されると共に、電池蓋を電池収納部を被うべく変位させるときに、電池蓋を構成する側板部の端面と当接する傾斜面が形成された制御突起とを備え、電池蓋を電池収納部を被う位置に変位させるときに、側板部の制御突起の傾斜面への当接により、摺動レバーを非ロック位置に一旦変位させ、電池蓋を閉成位置に変位させたときに、摺動レバーをロック位置に変位させるので、電池蓋のロック動作を容易に行うことができる。
【００１９】
また、請求項２記載の発明によれば、摺動レバーをロック位置から非ロック位置へ変位させることにより切換えられるスイッチを設けたので、電子機器が備えている各動作の電池蓋の開閉動作による制御が可能となるという優れた効果を有している。
【００２０】
また、請求項３記載の発明によれば、摺動レバーに操作部を設け、操作部を操作させることにより、摺動レバーをロック位置から非ロック位置へ変位させるので、スイッチの切換動作を独立して行うことができるという効果を有している。
【００２１】
また、請求項４記載の発明によれば、スイッチの切換により、電子機器の機能切換が行われるので、電池蓋の着脱動作による電子機器の制御動作を行うことができるという優れた効果を有している。
【図面の簡単な説明】
【図１】  本発明に係る電子機器の電池収納装置の一実施形態を示す要部の斜視図である。
【図２】  電子機器の電池収納装置の異なる状態を示す斜視図である。
【図３】  電子機器の電池収納装置の要部を示す平面図である。
【図４】  電子機器の電池収納装置の異なる状態を示す平面図である。
【符号の説明】
１              本体
２              電池収納部
３              電池蓋
４ 位置決め孔
５ 位置決め片
６              摺動レバー
７              スプリング
８，９          制御突起
８Ａ，９Ａ      傾斜面
１０            操作部
１１            スイッチ押圧部
１２            スイッチ
１３            側板部
１４，１５ 切欠部
１４Ａ，１５Ａ 角部
【図１】
0003825601.tif 000002
【図２】
0003825601.tif 000003
【図３】
0003825601.tif 000004
【図４】
0003825601.tif 000005